(57)【要約】      （修正有）【課題】電動ポンプが大型化することを抑制できる構造を有する圧力センサ装置、およびそのような圧力センサ装置を備える電動ポンプを提供する。【解決手段】電動ポンプ用の圧力センサ装置５０であって、電動ポンプ内部の流体の圧力を計測する圧力センサと、圧力センサから水平方向一方側に延びる第１方向に突出した第１端子部８１および第２端子部８２と、圧力センサから水平方向他方側に延びる第２方向に突出した第３端子部８３と、圧力センサから第２方向に突出し、第２端子部８２と電気的に接続された第４端子部８４と、圧力センサの水平方向一方側に配置され、第１端子部８１と第２端子部８２との間に接続された第１コンデンサ８５と、圧力センサの水平方向他方側に配置され、第３端子部８３と第４端子部８４との間に接続された第２コンデンサ８６と、を備える。【選択図】図４
2018017587.tif 000002
【特許請求の範囲】
【請求項１】
電動ポンプ用の圧力センサ装置であって、
前記電動ポンプ内部の流体の圧力を計測する圧力センサと、
前記圧力センサから水平方向一方側に延びる第１方向に突出した第１端子部および第２端子部と、
前記圧力センサから水平方向他方側に延びる第２方向に突出した第３端子部と、
前記圧力センサから前記第２方向に突出し、前記第２端子部と電気的に接続された第４端子部と、
前記圧力センサの前記水平方向一方側に配置され、前記第１端子部と前記第２端子部との間に接続された第１コンデンサと、
前記圧力センサの前記水平方向他方側に配置され、前記第３端子部と前記第４端子部との間に接続された第２コンデンサと、
を備える、圧力センサ装置。
【請求項２】
前記第１方向と前記第２方向との成す角は、鈍角である、請求項１に記載の圧力センサ装置。
【請求項３】
前記第１方向に沿って視て、前記第１コンデンサは、前記第１端子部と前記第２端子部との少なくとも一方と重なっており、
前記第２方向に沿って視て、前記第２コンデンサは、前記第３端子部と前記第４端子部との少なくとも一方と重なっている、請求項１または２に記載の圧力センサ装置。
【請求項４】
前記第１端子部と前記第２端子部とは、前記第１方向および上下方向の両方と直交する方向に並んで配置され、
前記第３端子部と前記第４端子部とは、前記第２方向および上下方向の両方と直交する方向に並んで配置されている、請求項１から３のいずれか一項に記載の圧力センサ装置。
【請求項５】
前記第１端子部と前記第２端子部と前記第３端子部と前記第４端子部とは、上下方向と直交する同一水平面上に配置されている、請求項４に記載の圧力センサ装置。
【請求項６】
前記圧力センサは、
センサチップと、
前記センサチップの上側に配置された上側カバーと、
前記センサチップの下側に配置された下側カバーと、
を有し、
前記下側カバーは、前記下側カバーを上下方向に貫通し前記流体が流入する検出孔を有し、
前記センサチップは、前記検出孔から流入した前記流体の圧力を検出する、請求項１から５のいずれか一項に記載の圧力センサ装置。
【請求項７】
前記圧力センサを収容するセンサケースをさらに備え、
前記センサケースは、
前記圧力センサを収容するセンサ収容部と、
前記センサ収容部から前記第１方向に延び、前記第１端子部、前記第２端子部および前記第１コンデンサを収容する第１端子収容部と、
前記センサ収容部から前記第２方向に延び、前記第３端子部、前記第４端子部および前記第２コンデンサを収容する第２端子収容部と、
を有する、請求項１から６のいずれか一項に記載の圧力センサ装置。
【請求項８】
上下方向に延びる中心軸を中心として回転するシャフトと、
前記シャフトを回転させるモータ部と、
前記モータ部の上下方向一方側に位置し、前記モータ部によって前記シャフトを介して駆動されるポンプ部と、
を備える電動ポンプであって、
請求項１から７のいずれか一項に記載の圧力センサ装置をさらに備え、
前記第１端子部および前記第２端子部は、前記圧力センサの周方向一方側に配置され、
前記第３端子部および前記第４端子部は、前記圧力センサの周方向他方側に配置され、
前記圧力センサ装置は、前記電動ポンプ内に配置されている、電動ポンプ。
【発明の詳細な説明】
【技術分野】
【０００１】
本発明は、圧力センサ装置、および電動ポンプに関する。
【背景技術】
【０００２】
流体の圧力を計測する圧力センサが知られている。例えば、特許文献１には、流体配管に取り付けられる圧力センサが記載されている。
【先行技術文献】
【特許文献】
【０００３】
【特許文献１】特開２００４−２４５５９９号公報
【発明の概要】
【発明が解決しようとする課題】
【０００４】
ところで、電動ポンプ内部の流体の圧力を圧力センサによって計測する場合、電動ポンプ内に圧力センサを配置する構成が考えられる。しかし、上記の特許文献１に示すような圧力センサを単に電動ポンプ内に配置するだけでは、電動ポンプが大型化する問題があった。
【０００５】
本発明は、上記問題点に鑑みて、電動ポンプ用の圧力センサ装置であって、電動ポンプが大型化することを抑制できる構造を有する圧力センサ装置、およびそのような圧力センサ装置を備える電動ポンプを提供することを目的の一つとする。
【課題を解決するための手段】
【０００６】
本発明の圧力センサ装置の一つの態様は、電動ポンプ用の圧力センサ装置であって、前記電動ポンプ内部の流体の圧力を計測する圧力センサと、前記圧力センサから水平方向一方側に延びる第１方向に突出した第１端子部および第２端子部と、前記圧力センサから水平方向他方側に延びる第２方向に突出した第３端子部と、前記圧力センサから前記第２方向に突出し、前記第２端子部と電気的に接続された第４端子部と、前記圧力センサの前記水平方向一方側に配置され、前記第１端子部と前記第２端子部との間に接続された第１コンデンサと、前記圧力センサの前記水平方向他方側に配置され、前記第３端子部と前記第４端子部との間に接続された第２コンデンサと、を備える。
【０００７】
本発明の電動ポンプの一つの態様は、上下方向に延びる中心軸を中心として回転するシャフトと、前記シャフトを回転させるモータ部と、前記モータ部の上下方向一方側に位置し、前記モータ部によって前記シャフトを介して駆動されるポンプ部と、を備える電動ポンプであって、上記の圧力センサ装置をさらに備え、前記第１端子部および前記第２端子部は、前記圧力センサの周方向一方側に配置され、前記第３端子部および前記第４端子部は、前記圧力センサの周方向他方側に配置され、前記圧力センサ装置は、前記電動ポンプ内に配置されている。
【発明の効果】
【０００８】
本発明の一つの態様によれば、電動ポンプ用の圧力センサ装置であって、電動ポンプが大型化することを抑制できる構造を有する圧力センサ装置、およびそのような圧力センサ装置を備える電動ポンプが提供される。
【図面の簡単な説明】
【０００９】
【図１】図１は、本実施形態の電動ポンプを示す断面図である。
【図２】図２は、本実施形態の圧力センサ装置とポンプボディとを示す分解斜視図である。
【図３】図３は、本実施形態の圧力センサ装置とポンプボディとを示す斜視図である。
【図４】図４は、本実施形態の圧力センサ装置を示す斜視図である。
【図５】図５は、本実施形態の圧力センサ装置を示す平面図である。
【図６】図６は、本実施形態の圧力センサ装置を示す分解斜視図である。
【図７】図７は、本実施形態の圧力センサ装置を示す断面図であり、図１における部分拡大図である。
【図８】図８は、本実施形態の圧力センサ装置を示す上側から視た断面図である。
【図９】図９は、本実施形態の圧力センサ装置を示す底面図である。
【図１０】図１０は、本実施形態の第１端子部と第２端子部と第１コンデンサとを示す図である。
【発明を実施するための形態】
【００１０】
本実施形態の電動ポンプ１０は、流体としてオイルを加圧して送る電動オイルポンプである。図１に示すように、電動ポンプ１０は、電動ポンプ１０の各部を収容して保持するケース１１と、中心軸Ｊ１を中心として回転するシャフト２１と、シャフト２１を回転させるモータ部２０と、モータ部２０によってシャフト２１を介して駆動されるポンプ部３０と、バスバーユニット１００と、回路基板１１０と、圧力センサ装置５０と、を備える。図１においては、圧力センサ装置５０を模式的に示している。
【００１１】
中心軸Ｊ１は、上下方向に延びている。以下の説明においては、特に断りのない限り、中心軸Ｊ１の軸方向と平行な方向を単に「上下方向」と呼び、中心軸Ｊ１を中心とする径方向を単に「径方向」と呼び、中心軸Ｊ１を中心とする周方向を単に「周方向」と呼ぶ。各図においては、適宜上下方向と平行な方向に延びるＺ軸を示し、Ｚ軸の正の側を「上側」と呼び、Ｚ軸の負の側を「下側」と呼ぶ。なお、上下方向、上側および下側とは、単に説明のために用いられる名称であって、実際の位置関係や方向を限定しない。
【００１２】
モータ部２０は、ロータ２３と、ステータ２２と、を有する。ロータ２３は、シャフト２１の外周面に固定されている。ステータ２２は、ロータ２３の径方向外側に配置され、ロータ２３を囲んでいる。ステータ２２は、ステータコア２６と、ステータコア２６に装着されたインシュレータ２４と、インシュレータ２４を介してステータコア２６に装着された複数のコイル２５と、を有する。
【００１３】
ポンプ部３０は、モータ部２０の上下方向一方側に位置する。図１では、ポンプ部３０は、モータ部２０の下側に位置する。ポンプ部３０は、ポンプボディ３１と、ポンプギア３２と、ポンプカバー３６と、を有する。ポンプボディ３１は、モータ部２０の下側において、モータ部２０と軸方向に隙間を介して対向して配置されている。ポンプボディ３１は、下側の面から上側に窪みポンプギア３２を収容するポンプ室３５を有する。図示は省略するが、ポンプ室３５の上下方向に視た形状は、円形状である。ポンプボディ３１は、貫通孔３１ａを有する。貫通孔３１ａは、上下方向両端に開口し、下側の開口がポンプ室３５に開口している。貫通孔３１ａには、シャフト２１が通されている。
【００１４】
ポンプボディ３１は、上側の面から下側に窪むセンサ収容凹部３７を有する。センサ収容凹部３７は、貫通孔３１ａよりも径方向外側に配置されている。図２に示すように、センサ収容凹部３７は、周方向に延びる円弧状である。センサ収容凹部３７の底面には、下側に窪む２つの雌ネジ穴３７ａが設けられている。なお、センサ収容凹部３７は、周方向の１周に亘って延びる円環状であってもよい。図２および図３においては、ポンプボディ３１を簡略化して示している。
【００１５】
図１に示すように、ポンプボディ３１は、中央にシール保持部３８を有する。シール保持部３８は、上側に開口する筒状である。シール保持部３８は、センサ収容凹部３７の径方向内側に配置されている。シール保持部３８の内部にはオイルシール４０が保持されている。シール保持部３８の内部は、貫通孔３１ａと連通している。シール保持部３８の内部には、シャフト２１が通されている。
【００１６】
ポンプギア３２は、シャフト２１の回転に伴い回転する。本実施形態においてポンプギア３２は、シャフト２１の下端部に取り付けられている。ポンプギア３２は、シャフト２１の下端部における外周面に固定されたインナーロータ３３と、インナーロータ３３の径方向外側を囲むアウターロータ３４と、を有する。なお、インナーロータ３３とシャフト２１とは、中心軸Ｊ１周りの相対的な回動が、ある程度許容された状態であってもよい。ポンプカバー３６は、ポンプボディ３１の下側に取り付けられている。ポンプカバー３６は、径方向に拡がる蓋状である。ポンプカバー３６は、ポンプ室３５の下側の開口を閉塞する。
【００１７】
ポンプ部３０は、導入油路９１と、吐出油路９２と、検出油路９３と、を有する。図１では、導入油路９１は、ポンプカバー３６に設けられている。導入油路９１は、ポンプ室３５と繋がり、ポンプ室３５にオイルを導入する油路である。図１では、吐出油路９２は、ポンプボディ３１に設けられている。吐出油路９２は、ポンプ室３５と繋がり、ポンプ室３５からオイルを吐出する油路である。検出油路９３は、ポンプボディ３１に設けられ吐出油路９２とセンサ収容凹部３７とを繋ぐ油路である。図１では、検出油路９３は、吐出油路９２から上方斜め径方向外側に向かって延びている。図２に示すように、検出油路９３の上端は、センサ収容凹部３７の底面に開口している。センサ収容凹部３７の底面において検出油路９３が開口する位置は、例えば、周方向において、２つの雌ネジ穴３７ａ同士の間の中心である。
【００１８】
図１に示すように、バスバーユニット１００は、モータ部２０の上側に配置されている。バスバーユニット１００は、ステータ２２と電気的に接続されたバスバーと、回路基板１１０と電気的に接続されたバスバーと、各バスバーを保持する筒状のバスバーホルダ１０１と、を有する。回路基板１１０は、バスバーホルダ１０１の径方向内側においてバスバーホルダ１０１に保持されている。図示は省略するが、回路基板１１０には、圧力センサ装置５０が電気的に接続されている。
【００１９】
圧力センサ装置５０は、電動ポンプ１０用の圧力センサ装置であり、電動ポンプ１０内に配置されている。図１および図３に示すように、圧力センサ装置５０は、センサ収容凹部３７内に収容されてポンプボディ３１に固定されている。圧力センサ装置５０の固定方法は、特に限定されない。図３では、圧力センサ装置５０は、図２に示す雌ネジ穴３７ａのそれぞれに締め込まれた２つのネジ７０によってポンプボディ３１に固定されている。
【００２０】
図４から図６に示すように、圧力センサ装置５０は、上下方向の寸法が比較的小さい扁平状である。圧力センサ装置５０は、圧力センサ５３と、センサケース５１と、第１端子部８１および第２端子部８２と、第３端子部８３と、第４端子部８４と、第１コンデンサ８５と、第２コンデンサ８６と、を有する。センサケース５１は、圧力センサ５３と、第１端子部８１および第２端子部８２と、第３端子部８３と、第４端子部８４と、第１コンデンサ８５と、第２コンデンサ８６と、を収容する。
【００２１】
圧力センサ５３は、電動ポンプ１０内部の流体、すなわち本実施形態ではオイルの圧力を計測する。圧力センサ５３は、中心をセンサ中心軸Ｊ２が通る扁平円柱状である。センサ中心軸Ｊ２は、中心軸Ｊ１と平行で上下方向に延びている。図２および図３に示すように、センサ中心軸Ｊ２は、中心軸Ｊ１から径方向に離れて配置されている。センサ中心軸Ｊ２は、センサ収容凹部３７の径方向の中心に位置する。図７に示すように、圧力センサ５３は、センサケース５１の後述するセンサ収容部５１ａに、部分的に埋め込まれて保持されている。
【００２２】
図６に示すように、圧力センサ５３は、端子支持部５６と、センサチップ５５と、上側カバー５７と、下側カバー５８と、を有する。端子支持部５６は、中心をセンサ中心軸Ｊ２が通る円環状である。端子支持部５６は、端子支持部５６の中央を上下方向に貫通する支持部貫通孔５６ａを有する。支持部貫通孔５６ａの上側から視た形状は、略正方形状である。端子支持部５６は、第１端子部８１および第２端子部８２と、第３端子部８３と、第４端子部８４と、を支持している。図７に示すように、端子支持部５６は、センサケース５１の後述するセンサ収容部５１ａに埋め込まれている。
【００２３】
図６に示すように、センサチップ５５は、正方形板状のセンサチップ本体５５ａと、センサチップ本体５５ａの上面に電気的に接続された３つのチップ端子５５ｂと、を有する。図７に示すように、センサチップ本体５５ａは、支持部貫通孔５６ａの内側に配置されている。センサチップ本体５５ａは、下側カバー５８の上面に配置されている。図７では、センサチップ本体５５ａは、後述する検出孔５８ａの上端開口を閉塞している。図８に示すように、３つのチップ端子５５ｂは、第１端子部８１と、第２端子部８２および第４端子部８４と、第３端子部８３と、のそれぞれに電気的に接続されている。なお、アルミニウム等の材料をワイヤボンディングすることでチップ端子とすることもでき、センサチップ５５の各電極と、各端子部８１〜８４と、の間を電気的に接続することができる。
【００２４】
図７に示すように、上側カバー５７は、センサチップ５５の上側に配置されている。上側カバー５７は、センサチップ５５の上側を覆っている。図６に示すように、上側カバー５７は、中心をセンサ中心軸Ｊ２が通る円板状である。図７に示すように、上側カバー５７は、下面中央から上側に窪む上側凹部５７ａを有する。上側カバー５７の下面における外周縁部は、端子支持部５６の上面と接触している。
【００２５】
下側カバー５８は、センサチップ５５の下側に配置されている。図６に示すように、下側カバー５８は、中心をセンサ中心軸Ｊ２が通る円板状である。図７に示すように、下側カバー５８は、下側カバー５８を上下方向に貫通する検出孔５８ａと、下面中央から上側に窪む下側凹部５８ｂと、を有する。検出孔５８ａの下端は、下側凹部５８ｂ内に開口している。検出孔５８ａの上端は、上述したようにセンサチップ本体５５ａによって閉塞されている。図６に示すように、検出孔５８ａの平面視形状は、中心をセンサ中心軸Ｊ２が通る円形状である。図示は省略するが、下側凹部５８ｂの下側から視た形状は、中心をセンサ中心軸Ｊ２が通る円形状である。
【００２６】
図７に示すように、圧力センサ装置５０がセンサ収容凹部３７内に固定された状態において、下側カバー５８の下面のうち下側凹部５８ｂの外周縁部は、センサ収容凹部３７の底面と接触する。下側凹部５８ｂの内側には、Ｏリング７１が配置されている。Ｏリング７１は、下側凹部５８ｂの内周縁に沿った円環状である。Ｏリング７１は、センサ収容凹部３７の底面と下側凹部５８ｂの天面とに接触して、下側カバー５８とポンプボディ３１との間をシールしている。下側凹部５８ｂの内部には、検出油路９３の上端が開口している。
【００２７】
図６に示すように、第１端子部８１から第４端子部８４は、上下方向と直交する平板状である。第１端子部８１から第４端子部８４における、センサ中心軸Ｊ２を中心とした径方向内側の端部は、圧力センサ５３の内部に埋め込まれて固定されている。図５および図８に示すように、第１端子部８１および第２端子部８２は、圧力センサ５３から水平方向一方側に延びる第１方向Ｄ１に突出している。第３端子部８３および第４端子部８４は、水平方向他方側に延びる第２方向Ｄ２に突出している。より詳細には、図６に示すように、第１端子部８１および第２端子部８２は、端子支持部５６から第１方向Ｄ１に突出している。第３端子部８３および第４端子部８４は、端子支持部５６から第２方向Ｄ２に突出している。
【００２８】
図５に示すように、第１端子部８１と第２端子部８２とは、第１方向Ｄ１および上下方向の両方と直交する第３方向Ｄ３に並んで配置されている。第３端子部８３と第４端子部８４とは、第２方向Ｄ２および上下方向の両方と直交する第４方向Ｄ４に並んで配置されている。第１端子部８１と第２端子部８２と第３端子部８３と第４端子部８４とは、板面が上下方向と直交する水平面と平行であり、上下方向と直交する同一水平面上に配置されている。
【００２９】
ここで、本実施形態において水平方向とは、例えば、図５に示す平面視において中心軸Ｊ１とセンサ中心軸Ｊ２とを繋ぐ仮想線Ｃ１と直交する水平方向ＨＤ、すなわち図５における左右方向である。本実施形態において、水平方向一方側とは、水平方向ＨＤの正の側（＋ＨＤ側）、すなわち図５における左側であり、水平方向他方側とは、水平方向ＨＤの負の側（−ＨＤ側）、すなわち図５における右側である。
【００３０】
また、本実施形態において、水平方向一方側に延びる第１方向Ｄ１とは、上下方向と直交する複数の水平方向のうちの一つであり、かつ、圧力センサ５３の中心であるセンサ中心軸Ｊ２から仮想線Ｃ１の右側（＋ＨＤ側）の領域に延びる方向のうちの一つである。図５では、第１方向Ｄ１は、センサ中心軸Ｊ２から、仮想線Ｃ１と直交する水平方向ＨＤに対して中心軸Ｊ１側（図５の下側）に傾いて左側に延びている。第１方向Ｄ１は、センサ中心軸Ｊ２を中心とする径方向のうちの一つである。
【００３１】
また、本実施形態において、水平方向他方側に延びる第２方向Ｄ２とは、上下方向と直交する複数の水平方向のうちの一つであり、かつ、圧力センサ５３の中心であるセンサ中心軸Ｊ２から仮想線Ｃ１の右側（−ＨＤ側）の領域に延びる方向のうちの一つである。図５では、第２方向Ｄ２は、センサ中心軸Ｊ２から、仮想線Ｃ１と直交する水平方向ＨＤに対して中心軸Ｊ１側（図５の下側）に傾いて右側に延びている。第２方向Ｄ２は、センサ中心軸Ｊ２を中心とする径方向のうちの一つである。第１方向Ｄ１と第２方向Ｄ２との成す角θは、鈍角である。
【００３２】
なお、以下の説明において、第１方向Ｄ１のうち、ある対象を基準としてセンサ中心軸Ｊ２に近づく側を「第１方向内側」と呼び、ある対象を基準としてセンサ中心軸Ｊ２から遠ざかる側を「第１方向外側」と呼ぶ。また、第２方向Ｄ２のうち、ある対象を基準としてセンサ中心軸Ｊ２に近づく側を「第２方向内側」と呼び、ある対象を基準としてセンサ中心軸Ｊ２から遠ざかる側を「第２方向外側」と呼ぶ。
【００３３】
図８に示すように、第１端子部８１における第１方向内側の部分である第１被支持部８１ａは、ほぼ全体が端子支持部５６に埋め込まれて、端子支持部５６に支持されている。第１被支持部８１ａは、センサ中心軸Ｊ２を中心とする周方向に延びている。第１被支持部８１ａの上面のうち、センサ中心軸Ｊ２を中心とする径方向の内縁部は、端子支持部５６から露出している。第１被支持部８１ａの上面における露出した部分には、チップ端子５５ｂのうちの１つが電気的に接続されている。
【００３４】
第２端子部８２における第１方向内側の端部である第２被支持部８２ａは、ほぼ全体が端子支持部５６に埋め込まれて、端子支持部５６に支持されている。第２被支持部８２ａの上面のうち、センサ中心軸Ｊ２を中心とする径方向の内縁部は、端子支持部５６から露出している。第２被支持部８２ａの上面における露出した部分には、チップ端子５５ｂのうち、第１被支持部８１ａに接続されたチップ端子５５ｂとは異なるチップ端子５５ｂの１つが接続されている。
【００３５】
第３端子部８３における第２方向内側の端部である第３被支持部８３ａは、ほぼ全体が端子支持部５６に埋め込まれて、端子支持部５６に支持されている。第３被支持部８３ａの上面のうち、センサ中心軸Ｊ２を中心とする径方向の内縁部は、端子支持部５６から露出している。第３被支持部８３ａの上面における露出した部分には、チップ端子５５ｂのうち、第１被支持部８１ａに接続されたチップ端子５５ｂおよび第２被支持部８２ａに接続されたチップ端子５５ｂとは異なる残りの１つのチップ端子５５ｂが接続されている。
【００３６】
第４端子部８４における第２方向内側の端部である第４被支持部８４ａは、ほぼ全体が端子支持部５６に埋め込まれて、端子支持部５６に支持されている。第４被支持部８４ａの上面のうち、センサ中心軸Ｊ２を中心とする径方向の内縁部は、端子支持部５６から露出している。第４端子部８４は、第２端子部８２と電気的に接続されている。より詳細には、第２被支持部８２ａと第４被支持部８４ａとが連結部８７を介して接続されることで、第２端子部８２と第４端子部８４とは、電気的に接続されている。第４端子部８４は、第２端子部８２と電気的に接続されることで、第２端子部８２に接続されたチップ端子５５ｂと電気的に接続されている。
【００３７】
連結部８７は、センサ中心軸Ｊ２を中心とする周方向に延びている。本実施形態において第２端子部８２と第４端子部８４と連結部８７とは、単一の部材として構成されている。第１端子部８１と、第２端子部８２および第４端子部８４と、第３端子部８３とは、互いに離れて絶縁された状態で配置されている。
【００３８】
図５に示すように、第１端子部８１および第２端子部８２は、圧力センサ５３の周方向一方側に配置されている。第３端子部８３および第４端子部８４は、圧力センサ５３の周方向他方側に配置されている。本実施形態において圧力センサ５３の周方向一方側とは、上側から視て、圧力センサ５３から中心軸Ｊ１を中心として反時計回りに進む側である。圧力センサ５３の周方向他方側とは、上側から視て、圧力センサ５３から中心軸Ｊ１を中心として時計回りに進む側である。
【００３９】
上述した４つの端子部のうち３つの端子部には、圧力センサ装置５０に電源を供給する電源用リード線と、圧力センサ装置５０の接地を取るための接地用リード線と、圧力センサ装置５０が計測した圧力の値を電気信号として出力するための出力用リード線と、がそれぞれ接続される。一例として、第１端子部８１は、電源用リード線が接続される端子である。第２端子部８２は、接地用リード線が接続される端子である。第３端子部８３は、出力用リード線が接続される端子である。
【００４０】
第１コンデンサ８５は、圧力センサ５３の水平方向一方側（＋ＨＤ側）に配置され、第１端子部８１と第２端子部８２との間に接続されている。第２コンデンサ８６は、圧力センサ５３の水平方向他方側（−ＨＤ側）に配置され、第３端子部８３と第４端子部８４との間に接続されている。
【００４１】
上述したように本実施形態によれば、各端子部が圧力センサ５３から水平方向のうちの一つである第１方向Ｄ１および第２方向Ｄ２に延びている。そのため、圧力センサ装置５０を上下方向に小さくできる。また、４つの端子部は、２つずつ圧力センサ５３から互いに水平方向の逆側に進む第１方向Ｄ１および第２方向Ｄ２に突出する。そのため、４つの端子部を同じ方向に突出させて配置する場合に比べて、圧力センサ装置５０を上下方向および径方向に小さくできる。また、４つの端子部を２つずつ第１方向Ｄ１および第２方向Ｄ２に突出させたことで、第１コンデンサ８５と第２コンデンサ８６とを互いに圧力センサ５３に対して水平方向の逆側に配置できる。そのため、第１コンデンサ８５と第２コンデンサ８６とを圧力センサ５３の同じ側に配置する場合に比べて、圧力センサ装置５０を上下方向および径方向に小さくできる。したがって、本実施形態によれば、圧力センサ装置５０を上下方向および径方向の両方に小さくすることができ、全体として扁平状で細長の形状とできる。そのため、圧力センサ装置５０を電動ポンプ１０における中心軸Ｊ１の周方向に沿って配置することで、圧力センサ装置５０を電動ポンプ１０内に配置した際に、電動ポンプ１０が大型化することを抑制できる。
【００４２】
具体的には、本実施形態のように、圧力センサ５３の周方向一方側に第１端子部８１および第２端子部８２を配置し、圧力センサ５３の周方向他方側に第３端子部８３および第４端子部８４を配置することで、圧力センサ装置５０を周方向に沿って配置することができる。これにより、電動ポンプ１０が大型化することを抑制しつつ、圧力センサ装置５０を電動ポンプ１０内に配置できる。特に本実施形態のように、第１方向Ｄ１と第２方向Ｄ２との成す角θが、鈍角である場合には、圧力センサ装置５０全体の形状を周方向に沿った形状に近づけやすく、周方向に延びるセンサ収容凹部３７内に圧力センサ装置５０を配置しやすい。これにより、電動ポンプ１０が大型化することをより抑制できる。
【００４３】
また、上述したように、本実施形態では、第１端子部８１と第２端子部８２とは、第１方向Ｄ１および上下方向の両方と直交する第３方向Ｄ３に並んで配置されている。また、第３端子部８３と第４端子部８４とは、第２方向Ｄ２および上下方向の両方と直交する第４方向Ｄ４に並んで配置されている。そのため、各端子部同士が上下方向に並ぶ場合等に比べて、圧力センサ装置５０をより上下方向に小型化しやすい。また、第１端子部８１と第２端子部８２と第３端子部８３と第４端子部８４とは、上下方向と直交する同一水平面上に配置されている。そのため、圧力センサ装置５０をより上下方向に小型化しやすい。
【００４４】
図６に示すように、第１コンデンサ８５は、第１コンデンサ本体８５ａと、２つの第１接続端子８５ｂと、を有する。第１コンデンサ本体８５ａは、第１端子部８１と第２端子部８２との第１方向Ｄ１の延長線上に配置されている。２つの第１接続端子８５ｂは、第１コンデンサ本体８５ａから第１方向内側に延びている。２つの第１接続端子８５ｂは、第３方向Ｄ３に沿って並んで配置されている。
【００４５】
第２コンデンサ８６は、第２コンデンサ本体８６ａと、２つの第２接続端子８６ｂと、を有する。第２コンデンサ本体８６ａは、第３端子部８３と第４端子部８４との第２方向Ｄ２の延長線上に配置されている。２つの第２接続端子８６ｂは、第２コンデンサ本体８６ａから第２方向内側に延びている。２つの第２接続端子８６ｂは、第４方向Ｄ４に沿って並んで配置されている。
【００４６】
図９に示すように、２つの第１接続端子８５ｂのうち一方は、第１端子部８１の下面における第１方向外側の端部に接続されている。２つの第１接続端子８５ｂのうち他方は、第２端子部８２の下面における第１方向外側の端部に接続されている。これにより、第１端子部８１と第２端子部８２との間に第１コンデンサ８５が接続される。
【００４７】
２つの第２接続端子８６ｂのうち一方は、第３端子部８３の下面における第２方向外側の端部に接続されている。２つの第２接続端子８６ｂのうち他方は、第４端子部８４の下面における第２方向外側の端部に接続されている。これにより、第３端子部８３と第４端子部８４との間に第２コンデンサ８６が接続される。
【００４８】
図１０に示すように、第１コンデンサ本体８５ａは、第１端子部８１および第２端子部８２と第１方向Ｄ１に重なっている。すなわち、第１方向Ｄ１に沿って視て、第１コンデンサ８５は、第１端子部８１と第２端子部８２との両方と重なっている。図示は省略するが、第２コンデンサ本体８６ａは、第３端子部８３および第４端子部８４と第２方向Ｄ２に重なっている。すなわち、第２方向Ｄ２に沿って視て、第２コンデンサ８６は、第３端子部８３と第４端子部８４との両方と重なっている。このように、各コンデンサがそれぞれ接続された端子部と水平方向に重なることで、圧力センサ装置５０をより上下方向に小型化しやすい。これにより、電動ポンプ１０が大型化することをより抑制できる。
【００４９】
なお、第１方向Ｄ１に沿って視て、第１コンデンサ８５は、第１端子部８１と第２端子部８２との少なくとも一方と重なっていればよく、第１端子部８１と第２端子部８２とのうちのいずれか一方のみと重なっていてもよい。また、第２方向Ｄ２に沿って視て、第２コンデンサ８６は、第３端子部８３と第４端子部８４との少なくとも一方と重なっていればよく、第３端子部８３と第４端子部８４とのうちのいずれか一方のみと重なっていてもよい。これらの場合においても、圧力センサ装置５０を上下方向に小型化しやすく、電動ポンプ１０が大型化することを抑制できる。
【００５０】
第１コンデンサ本体８５ａの上端は、上下方向において、第１端子部８１の上面および第２端子部８２の上面とほぼ同じ位置に配置されている。図示は省略するが、第２コンデンサ本体８６ａの上端は、上下方向において、第３端子部８３の上面および第４端子部８４の上面とほぼ同じ位置に配置されている。第１コンデンサ８５および第２コンデンサ８６によって、サージ電流が生じることを抑制できる。
【００５１】
図６に示すように、センサケース５１は、センサ収容部５１ａと、第１端子収容部５１ｂと、第２端子収容部５１ｃと、一対の固定部５１ｄと、を有する。センサ収容部５１ａは、センサ中心軸Ｊ２を中心とする略円筒状である。センサ収容部５１ａは、圧力センサ５３を収容する。より詳細には、図７に示すように、センサ収容部５１ａには、圧力センサ５３の一部が埋め込まれて保持されている。センサ収容部５１ａは、センサ収容部５１ａの中央を上下方向に貫通する収容部貫通孔５１ｆを有する。図８に示すように、収容部貫通孔５１ｆの上側から視た形状は、中心をセンサ中心軸Ｊ２が通る略正方形状である。収容部貫通孔５１ｆにおけるセンサ中心軸Ｊ２を中心とする径方向内側には、センサチップ本体５５ａが配置されている。
【００５２】
図７に示すように、センサ収容部５１ａの下部には、下側カバー５８が埋め込まれて保持されている。下側カバー５８の下面は、センサ収容部５１ａから露出している。下側カバー５８の上面は、収容部貫通孔５１ｆの下端を覆っている。センサ収容部５１ａの上部には、端子支持部５６が埋め込まれて保持されている。
【００５３】
下側カバー５８の上面と、センサ収容部５１ａの内側面と、端子支持部５６の内側面と、上側カバー５７の下面と、によって、センサチップ５５が収容された収容空間７２が構成されている。図示は省略するが、収容空間７２には、センサチップ５５を覆う封止材が配置されている。
【００５４】
図４および図５に示すように、第１端子収容部５１ｂは、センサ収容部５１ａから第１方向Ｄ１に延びている。第１端子収容部５１ｂは、第１方向Ｄ１に長い長方形箱状である。第１端子収容部５１ｂは、第１端子部８１、第２端子部８２および第１コンデンサ８５を収容する。第１端子収容部５１ｂは、第１コンデンサ８５を保持する第１コンデンサ保持部５２ａを有する。第１コンデンサ保持部５２ａは、第１端子収容部５１ｂにおける第１方向外側の端部である。
【００５５】
第２端子収容部５１ｃは、センサ収容部５１ａから第２方向Ｄ２に延びている。第２端子収容部５１ｃは、第２方向Ｄ２に長い長方形箱状である。第２端子収容部５１ｃは、第３端子部８３、第４端子部８４および第２コンデンサ８６を収容する。第２端子収容部５１ｃは、第２コンデンサ８６を保持する第２コンデンサ保持部５２ｂを有する。第２コンデンサ保持部５２ｂは、第２端子収容部５１ｃにおける第２方向外側の端部である。
【００５６】
上述したように、センサケース５１が、圧力センサ５３、各端子部および各コンデンサを収容する各収容部を有しているため、センサケース５１によって、圧力センサ装置５０と、圧力センサ装置５０が固定される部材との間の絶縁をとることができる。これにより、例えば、ポンプボディ３１を金属製とした場合であっても、別途絶縁対策を施すことなく、圧力センサ装置５０をポンプボディ３１に固定することができ、電動ポンプ１０の組み立てを容易にできる。
【００５７】
一対の固定部５１ｄは、センサ収容部５１ａから水平方向ＨＤの両側に突出している。一対の固定部５１ｄには、それぞれ固定部５１ｄを上下方向に貫通する円形状の固定孔５１ｅが設けられている。図８に示すように、固定孔５１ｅの内部には、円筒部材５９が固定されている。図６に示すように、円筒部材５９は、上下方向両端に開口する円筒状である。図２および図３に示すように、圧力センサ装置５０をポンプボディ３１に固定するネジ７０は、上側から円筒部材５９の内部に通されて、雌ネジ穴３７ａに締め込まれている。
【００５８】
図７に示す圧力センサ装置５０がポンプボディ３１に固定された状態において、検出孔５８ａには、検出油路９３からセンサ収容凹部３７に流入したオイルが流入する。より詳細には、検出孔５８ａには、検出油路９３から下側カバー５８の下側凹部５８ｂ内に流入したオイルが流入する。検出孔５８ａの上端はセンサチップ５５によって閉塞されているため、検出孔５８ａに流入したオイルは、センサチップ５５と接触する。これにより、センサチップ５５は、検出孔５８ａから流入したオイルの圧力を検出する。このようにして、圧力センサ装置５０を用いて、電動ポンプ１０内のオイルの圧力を計測できる。
【００５９】
本実施形態では、下側凹部５８ｂ内には、下側カバー５８とポンプボディ３１との間をシールするＯリング７１が配置されているため、下側凹部５８ｂ内に流入したオイルがセンサ収容凹部３７の外部に漏れることを抑制できる。また、収容空間７２には、センサチップ５５を覆う図示しない封止材が配置されているため、センサチップ５５およびチップ端子５５ｂなどの金属部が酸化（腐食）してしまうことを抑制できる。
【００６０】
なお、センサチップ５５は、例えば、ダイヤフラム等を介して、間接的にオイルの圧力を検出してもよい。この場合、検出孔５８ａの上端部はダイヤフラムによって閉塞され、センサチップ５５は、ダイヤフラムに上側から接触して配置される。これにより、センサチップ５５は、ダイヤフラムを介して、検出孔５８ａに流入したオイルの圧力を検出できる。
【００６１】
また、第１方向Ｄ１と第２方向Ｄ２との成す角θは、鋭角であってもよいし、直角であってもよいし、二直角であってもよい。また、第１方向Ｄ１と第２方向Ｄ２とは、水平方向ＨＤと平行な方向であってもよい。
【００６２】
なお、本発明の圧力センサ装置は、流体を送る電動ポンプであれば、上述した実施形態のオイルを加圧して送る電動ポンプ１０に限られず、いかなる電動ポンプにも適用できる。
【００６３】
また、上記の各構成は、相互に矛盾しない範囲内において、適宜組み合わせることができる。
【符号の説明】
【００６４】
１０…電動ポンプ、２０…モータ部、２１…シャフト、３０…ポンプ部、５０…圧力センサ装置、５１…センサケース、５１ａ…センサ収容部、５１ｂ…第１端子収容部、５１ｃ…第２端子収容部、５３…圧力センサ、５５…センサチップ、５７…上側カバー、５８…下側カバー、５８ａ…検出孔、８１…第１端子部、８２…第２端子部、８３…第３端子部、８４…第４端子部、８５…第１コンデンサ、８６…第２コンデンサ、Ｄ１…第１方向、Ｄ２…第２方向、ＨＤ…水平方向、Ｊ１…中心軸
【図１】
2018017587.tif 000003
【図２】
2018017587.tif 000004
【図３】
2018017587.tif 000005
【図４】
2018017587.tif 000006
【図５】
2018017587.tif 000007
【図６】
2018017587.tif 000008
【図７】
2018017587.tif 000009
【図８】
2018017587.tif 000010
【図９】
2018017587.tif 000011
【図１０】
2018017587.tif 000012